(57)【要約】【課題】複数のプロセスの中からあらかじめ選択されたプロセスに従って新貨幣及び旧貨幣の流通量を自動的に判断し、流通量に応じて新旧の貨幣に対応する金庫を自動的に設定することができるようにして、新貨幣が発行されて、既存の旧貨幣と置き換わる場合であっても、オペレータが新旧の貨幣に対応する金庫を設定する作業を行う必要がなく、オペレータの作業負担を軽減することができるようにする。【解決手段】貨幣を入金及び出金する接客部と、入金及び出金される各貨幣の種別を認識する認識部と、認識された貨幣の種別毎に前記貨幣を収納する複数の金庫と、入金及び出金される新旧の貨幣の流通量に応じて、前記貨幣の種別に対応する金庫を設定する制御部とを有する。【選択図】図１
2005196723.tif 000002
【特許請求の範囲】
【請求項１】
（ａ）貨幣を入金及び出金する接客部と、
（ｂ）入金及び出金される各貨幣の種別を認識する認識部と、
（ｃ）認識された貨幣の種別毎に前記貨幣を収納する複数の金庫と、
（ｄ）入金及び出金される新旧の貨幣の流通量に応じて、前記貨幣の種別に対応する金庫を設定する制御部とを有することを特徴とする現金処理装置。
【請求項２】
前記制御部は、過去の所定期間における前記新旧の貨幣の流通量に応じて、前記貨幣の種別に対応する金庫を設定する請求項１に記載の現金処理装置。
【請求項３】
前記制御部は、複数のプロセスの中からあらかじめ選択されたプロセスに従って、前記貨幣の種別に対応する金庫を設定する請求項１又は２に記載の現金処理装置。
【請求項４】
（ａ）貨幣を入金及び出金する接客部、入金及び出金される各貨幣の種別を認識する認識部、並びに、認識された貨幣の種別毎に前記貨幣を収納する複数の金庫を備える現金処理装置と、
（ｂ）前記認識部の認識結果に基づいて、入金及び出金される貨幣の流通量を種別毎にカウントして記憶するカウンタと、
（ｃ）該カウンタに記憶された新旧の貨幣の流通量に応じて、前記貨幣の種別に対応する金庫を設定する前記現金処理装置を制御する制御装置とを有することを特徴とする現金処理システム。
【請求項５】
前記カウンタは過去の所定期間における貨幣の流通量を記憶する請求項４に記載の現金処理システム。
【請求項６】
前記カウンタは、各処理日に対応する記憶面を複数枚備え、処理日１日分の貨幣の流通量が各記憶面に記憶される請求項４又は５に記載の現金処理システム。
【請求項７】
前記記憶面のそれぞれは前記貨幣の種別に対応する区画を備える請求項６に記載の現金処理システム。
【請求項８】
前記制御装置は、前記カウンタに記憶された過去の所定期間における前記新旧の貨幣の流通量に応じて、前記貨幣の種別に対応する金庫を設定する請求項４〜７のいずれか１項に記載の現金処理システム。
【請求項９】
前記制御装置は、複数のプロセスの中からあらかじめ選択されたプロセスに従って、前記貨幣の種別に対応する金庫を設定する請求項４〜８のいずれか１項に記載の現金処理システム。
【請求項１０】
前記制御装置は、新貨幣の流通量が極少ない段階では新貨幣を入金することも出金することもできないように、新貨幣の流通量が多くなってきた段階では新貨幣を入金することができても出金することができないように、新貨幣の流通量がさらに多くなってきた段階では旧貨幣を入金することができても出金することができないように、旧貨幣の流通量がほとんどなくなった段階では旧貨幣を入金することも出金することもできないように前記現金処理装置を制御する請求項４〜９のいずれか１項に記載の現金処理システム。
【請求項１１】
前記制御装置は、新貨幣の流通量が極少ない段階では新貨幣及び旧貨幣を入金及び出金することができるように、新貨幣の流通量が多くなってきた段階では旧貨幣を入金することができても出金することができないように、旧貨幣の流通量がほとんどなくなった段階では旧貨幣を入金することも出金することもできないように前記現金処理装置を制御する請求項４〜９のいずれか１項に記載の現金処理システム。
【発明の詳細な説明】
【技術分野】
【０００１】
本発明は、現金処理装置及び現金処理システムに関するものである。
【背景技術】
【０００２】
従来、銀行、郵便局、信用金庫、消費者金融会社等の金融機関の支店、すなわち、営業店等には、顧客が自分で操作して、入金、出金、振り込み、残高照会等の金融取引を行うためのＡＴＭ（Ａｕｔｏｍａｔｉｃ  Ｔｅｌｌｅｒ  Ｍａｃｈｉｎｅ：現金自動預払機）、ＣＤ（Ｃａｓｈ  Ｄｉｓｐｅｎｓｅｒ：現金自動支払機）等の自動取引装置が配設され、また、ハイカウンタ、ローカウンタ等の窓口には、テラー（Ｔｅｌｌｅｒ）等の金融機関の担当者が操作する窓口入出金機が配設されている。前記自動取引装置及び窓口入出金機、すなわち、現金処理装置は、紙幣又は硬貨を取り扱う貨幣入出金部を有し、入金等の金融取引においては顧客やテラーが入金した現金を受け取りカウントして保管し、出金等の金融取引においては、保管している現金の中から所定金額の現金を払い出すようになっている（例えば、特許文献１参照。）。
【０００３】
そして、前記現金処理装置は、金融機関における各種金融取引をオンラインで実行するためのオンラインバンキングシステムにおける端末装置として機能し、オンラインバンキングネットワークを介して、勘定系の上位装置としてのホストコンピュータに接続され、該ホストコンピュータとの間で、データ、指令、応答等の各種信号の遣（や）り取りを行うことによって、すなわち、会話を行うことによって、金融取引を実行するようになっている。
【０００４】
この場合、前記現金処理装置は、キーボード、磁気カードリーダ、タッチパネル等の入力手段、ＣＲＴ、液晶ディスプレイ、ＬＥＤ（Ｌｉｇｈｔ  Ｅｍｉｔｔｉｎｇ  Ｄｉｏｄｅ）ディスプレイ等の表示手段、紙幣及び硬貨の入金口及び出金口を備える貨幣入出金部、金種毎に貨幣を保管する複数の金庫等のスタッカ、取引結果を明細票に印刷して出力するプリンタ等の印刷手段、ホストコンピュータと通信するための通信手段、前記入力手段、表示手段、貨幣入出金部、スタッカ、印刷手段及び通信手段を制御するための制御装置を有する。そして、前記現金処理装置は、顧客やテラーが入力手段を操作して必要事項を入力すると、取引種別を決定し、取引に対応する入力ガイダンス画面を表示手段に表示し、ガイダンス画面に表示された各項目のデータが入力手段から入力されると、入力されたデータをホストコンピュータに送信し、貨幣を入金口にセットし、該貨幣を計数して金種毎にスタッカに収納したり、該スタッカから各金種毎に指定数の貨幣を取り出して出金口に放出したり、ホストコンピュータからのデータを受信したり、取引結果を明細票に印刷して出力したりするという一連の動作を行うようになっている。
【０００５】
なお、どの金種の貨幣をどのスタッカに収納するかは、テラー等の現金処理装置の保守等を行うオペレータがあらかじめ手動で設定するようになっている。また、営業店等においては、毎日の営業開始時及び営業終了時に、前記現金処理装置に保管される現金の補充及び回収を行うようになっている。
【特許文献１】特開平４−３３７８９９号公報
【発明の開示】
【発明が解決しようとする課題】
【０００６】
しかしながら、前記従来の現金処理装置においては、新貨幣が発行されて、既存の旧貨幣と置き換わる場合、オペレータが新貨幣及び旧貨幣の市場における流通量を判断し、その判断に基づいて、前記現金処理装置が有するどのスタッカに新貨幣を収納し、どのスタッカに旧貨幣を収納するのかを手動で設定する必要がある。そのため、特に現金処理装置の数が多い場合、新旧の貨幣に対応するスタッカを設定する作業を行うために時間がかかってしまい、オペレータの大きな負担になっていた。
【０００７】
本発明は、前記従来の現金処理装置の問題点を解決して、複数のプロセスの中からあらかじめ選択されたプロセスに従って新貨幣及び旧貨幣の流通量を自動的に判断し、流通量に応じて新旧の貨幣に対応する金庫を自動的に設定することができるようにして、新貨幣が発行されて、既存の旧貨幣と置き換わる場合であっても、オペレータが新旧の貨幣に対応する金庫を設定する作業を行う必要がなく、オペレータの作業負担を軽減することができる現金処理装置及び現金処理システムを提供することを目的とする。
【課題を解決するための手段】
【０００８】
そのために、本発明の現金処理装置においては、貨幣を入金及び出金する接客部と、入金及び出金される各貨幣の種別を認識する認識部と、認識された貨幣の種別毎に前記貨幣を収納する複数の金庫と、入金及び出金される新旧の貨幣の流通量に応じて、前記貨幣の種別に対応する金庫を設定する制御部とを有する。
【０００９】
本発明の他の現金処理装置においては、さらに、前記制御部は、過去の所定期間における前記新旧の貨幣の流通量に応じて、前記貨幣の種別に対応する金庫を設定する。
【００１０】
本発明の更に他の現金処理装置においては、さらに、前記制御部は、複数のプロセスの中からあらかじめ選択されたプロセスに従って、前記貨幣の種別に対応する金庫を設定する。
【００１１】
本発明の現金処理システムにおいては、貨幣を入金及び出金する接客部、入金及び出金される各貨幣の種別を認識する認識部、並びに、認識された貨幣の種別毎に前記貨幣を収納する複数の金庫を備える現金処理装置と、前記認識部の認識結果に基づいて、入金及び出金される貨幣の流通量を種別毎にカウントして記憶するカウンタと、該カウンタに記憶された新旧の貨幣の流通量に応じて、前記貨幣の種別に対応する金庫を設定する前記現金処理装置を制御する制御装置とを有する。
【００１２】
本発明の他の現金処理システムにおいては、さらに、前記カウンタは過去の所定期間における貨幣の流通量を記憶する。
【００１３】
本発明の更に他の現金処理システムにおいては、さらに、前記カウンタは、各処理日に対応する記憶面を複数枚備え、処理日１日分の貨幣の流通量が各記憶面に記憶される。
【００１４】
本発明の更に他の現金処理システムにおいては、さらに、前記記憶面のそれぞれは前記貨幣の種別に対応する区画を備える。
【００１５】
本発明の更に他の現金処理システムにおいては、さらに、前記制御装置は、前記カウンタに記憶された過去の所定期間における前記新旧の貨幣の流通量に応じて、前記貨幣の種別に対応する金庫を設定する。
【００１６】
本発明の更に他の現金処理システムにおいては、さらに、前記制御装置は、複数のプロセスの中からあらかじめ選択されたプロセスに従って、前記貨幣の種別に対応する金庫を設定する。
【００１７】
本発明の更に他の現金処理システムにおいては、さらに、前記制御装置は、新貨幣の流通量が極（ごく）少ない段階では新貨幣を入金することも出金することもできないように、新貨幣の流通量が多くなってきた段階では新貨幣を入金することができても出金することができないように、新貨幣の流通量がさらに多くなってきた段階では旧貨幣を入金することができても出金することができないように、旧貨幣の流通量がほとんどなくなった段階では旧貨幣を入金することも出金することもできないように前記現金処理装置を制御する。
【００１８】
本発明の更に他の現金処理システムにおいては、さらに、前記制御装置は、新貨幣の流通量が極少ない段階では新貨幣及び旧貨幣を入金及び出金することができるように、新貨幣の流通量が多くなってきた段階では旧貨幣を入金することができても出金することができないように、旧貨幣の流通量がほとんどなくなった段階では旧貨幣を入金することも出金することもできないように前記現金処理装置を制御する。
【発明の効果】
【００１９】
本発明によれば、複数のプロセスの中からあらかじめ選択されたプロセスに従って新貨幣及び旧貨幣の流通量を自動的に判断し、流通量に応じて新旧の貨幣に対応する金庫を自動的に設定するので、新貨幣が発行されて、既存の旧貨幣と置き換わる場合であっても、オペレータが新旧の貨幣に対応する金庫を設定する作業を行う必要がなく、オペレータの作業負担を軽減することができる。
【発明を実施するための最良の形態】
【００２０】
以下、本発明の実施の形態について図面を参照しながら詳細に説明する。
【００２１】
図２は本発明の実施の形態における端末装置の構成を示すブロック図である。
【００２２】
図において、２０は、銀行、郵便局、信用金庫、消費者金融会社等の金融機関の支店、すなわち、営業店等に配設される現金処理システムとしての端末装置であり、金融機関における各種金融取引をオンラインで実行するためのオンラインバンキングシステムにおける端末として機能し、オンラインバンキングネットワークを介して、勘定系の上位装置としてのホストコンピュータに接続され、該ホストコンピュータとの間で、データ、指令、応答等の各種信号の遣り取りを行うことによって、すなわち、会話を行うことによって、金融取引を実行するようになっている。ここで、前記端末装置２０は、例えば、前記営業店に配設されたＡＴＭ、ＣＤ等の自動取引装置や、ハイカウンタ、ローカウンタ等の営業店の窓口に配設された窓口入出金機である。
【００２３】
そして、前記端末装置２０は、自動取引装置である場合、前記金融機関の顧客が自分で操作して入金、出金、通帳記帳、残高照会、振り込み、振り替え、送金、定期性預金設定等の金融取引をオンラインで行うようになっている。この場合、前記端末装置２０は、コンビニエンスストア、スーパーマーケット等の商店、地下街、駅構内、駐車場等のいかなる場所に配設されたものであってもよい。なお、前記端末装置２０は、他の機能、例えば、チケット予約機能、商品購入申し込み機能、クレジットカードの与信確認機能、施設情報案内機能等を有するキオスク端末のような多機能端末であってもよい。
【００２４】
また、前記端末装置２０は、窓口入出金機である場合、テラー等の金融機関の担当者である専用のオペレータが操作して、現金の補充、収集、入金、出金、通帳記帳、残高照会、振り込み、振り替え、送金、定期性預金設定等の金融取引をオンラインで行うようになっている。この場合、前記端末装置２０は、営業店の窓口に配設される。
【００２５】
なお、前記端末装置２０は、現金を処理する装置であれば、自動取引装置や窓口入出金機以外の装置、例えば、現金出納機等であってもよく、いかなる装置であってもよいが、本実施の形態においては、説明の都合上、前記端末装置２０が窓口入出金機である場合について説明する。
【００２６】
前記端末装置２０は、図に示されるように、端末装置２０全体の動作を制御する制御装置２１、図示されないホストコンピュータと通信するための通信手段としての対ホストインターフェイス部２２、オペレータが操作してデータ、指令等の必要事項を入力する入力部２３、取引に対応する入力画面等を表示する表示部２４、各種のデータを格納する記憶部２５、明細票等に必要事項を印刷する印刷部２６、及び、紙幣及び硬貨の入金及び出金を取り扱う現金処理装置としての貨幣入出金装置２７を有する。
【００２７】
ここで、前記制御装置２１は、マイクロプロセッサ、半導体メモリ、タイマ、Ｉ／Ｏ（入出力インターフェイス）ポート等を備える一種のコンピュータであり、前記半導体メモリ上に常駐するソフトウェアをマイクロプロセッサが解読して実行することによって、端末装置２０全体の動作を制御する。また、前記入力部２３は、キーボード、磁気カードリーダ、タッチパネル等から成り、前記制御装置２１に接続され、オペレータが操作することによって入力された事項を制御装置２１に送信する。さらに、前記表示部２４は、ＣＲＴ、液晶ディスプレイ、ＬＥＤディスプレイ等から成り、前記制御装置２１に接続され、該制御装置２１から受信した表示制御信号に従って、入力画面等の各種画面を表示する。さらに、前記記憶部２５は、磁気ディスク等の比較的大容量の記憶媒体を備え、前記制御装置２１に接続され、該制御装置２１のデータベースとして機能する。なお、前記記憶部２５は、ＣＤ−Ｒ／Ｗ、ＭＤ、ＤＶＤ−ＲＡＭ、ＤＶＤ−Ｒ／Ｗ、ＭＯ等の取り外し可能な外部記憶媒体を備えるものであってもよいし、前記制御装置２１に内蔵されたものであってもよい。さらに、前記印刷部２６は、インクジェット方式、電子写真方式、熱転写方式、ワイヤドット方式等の印刷方式を採用する印刷ヘッドを備え、預金通帳等の通帳や取引明細票等の明細票に取引金額等の事項を印刷する。
【００２８】
次に、前記貨幣入出金装置２７の構成について詳細に説明する。なお、前記貨幣入出金装置２７は、紙幣及び硬貨の両方の入金及び出金を取り扱うものであるが、本実施の形態においては、説明の都合上、硬貨の入金及び出金を取り扱うための構成については、説明を省略し、紙幣のみの入金及び出金を取り扱うための構成について説明する。
【００２９】
図１は本発明の実施の形態における金種毎流通カウンタの構成を示す図、図３は本発明の実施の形態における紙幣入出金装置の構成を示す図である。
【００３０】
前記貨幣入出金装置２７は、図３に示されるように、紙幣の入金及び出金をするための接客部３１、紙幣を反転する反転部３２、紙幣の種別を認識する認識部としての紙幣認識部３３、紙幣を種別毎に収納する金庫としての第１スタッカ３４ａ、第２スタッカ３４ｂ及び第３スタッカ３４ｃ、補充／回収部３７、補充／回収リジェクト部３８、並びに、リジェクト部３９を有する。なお、種別とは、紙幣の金種、及び、新紙幣と旧紙幣との別を意味する。また、前記貨幣入出金装置２７は、図示されない制御部を有する。なお、前記貨幣入出金装置２７が有するスタッカの数は、いくつであってもよく、例えば、１つであってもよいし、４つ以上であってもよいが、ここでは、前記第１スタッカ３４ａ、第２スタッカ３４ｂ及び第３スタッカ３４ｃによってすべてのスタッカを代表するものとする。なお、これ以降、前記第１スタッカ３４ａ、第２スタッカ３４ｂ及び第３スタッカ３４ｃを統合的に説明する場合には、スタッカ３４として説明する。
【００３１】
また、前記制御部は、入金及び出金される新旧の紙幣の流通量に応じて、前記紙幣の種別に対応するスタッカ３４を設定するようになっている。そして、前記制御部は、マイクロプロセッサ、半導体メモリ、タイマ、Ｉ／Ｏポート等を備える一種のコンピュータであり、前記半導体メモリ上に常駐するソフトウェアをマイクロプロセッサが解読して実行することによって、前記反転部３２、紙幣認識部３３、スタッカ３４、補充／回収部３７、補充／回収リジェクト部３８、並びに、リジェクト部３９と交信して、貨幣入出金装置２７全体の動作を制御する。なお、前記制御部は、端末装置２０の制御装置２１と一体的に構成されていてもよい。すなわち、端末装置２０の制御装置２１が貨幣入出金装置２７の制御部としても機能して、貨幣入出金装置２７全体の動作を制御するように構成することもできる。ここでは、端末装置２０の制御装置２１が貨幣入出金装置２７の制御部としても機能するものとして説明する。
【００３２】
本実施の形態において、前記貨幣入出金装置２７は、千円券、二千円券、五千円券及び一万円券の各金種の紙幣を取り扱うことができるようになっている。さらに、既存の旧紙幣と置き換わる新紙幣が発行された場合には、新紙幣も取り扱うことができるようになっている。例えば、新千円券、新五千円券、及び、新一万円券の各金種の新紙幣も取り扱うことができる。そして、前記貨幣入出金装置２７は、接客部３１から入金された紙幣を紙幣認識部３３によって認識し、各金種毎に割り当てられたスタッカ３４に収納される。真正な紙幣以外の紙幣及び二重送りされた紙幣は除外される、すなわち、リジェクトされるようになっている。なお、リジェクトされた紙幣は、リジェクト部３９に収納される。また、出金の場合には、各金種毎に割り当てられたスタッカ３４から指定された金種の紙幣が指定された枚数だけ取り出され、接客部３１から出金される。
【００３３】
そして、新紙幣が発行されて、既存の旧紙幣と置き換わる場合、前記貨幣入出金装置２７は、あらかじめ設定されたプロセスに従って動作し、新紙幣及び旧紙幣の流通量の履歴を解析し、その流通量に応じてそれぞれの紙幣を収納するスタッカ３４を自動的に設定するようになっている。なお、前記プロセスとしては複数のプロセスがあらかじめ設定され、それぞれのプロセスに対応するソフトウェアが、端末装置２０の制御装置２１又は貨幣入出金装置２７の制御部の半導体メモリに格納される。そして、前記ソフトウェアを半導体メモリに格納する際に、又は、その後に、金融機関の担当者は、前記金融機関における端末装置２０の利用形態を考慮して、前記複数のプロセスの中のいずれかのプロセスをあらかじめ選択するようになっている。これにより、前記貨幣入出金装置２７は、選択されたプロセスに従って、新紙幣及び旧紙幣の流通量の履歴を解析し、その流通量に応じてそれぞれの紙幣を収納するスタッカ３４を自動的に設定するようになっている。なお、プロセスの選択においては、金融機関におけるすべての貨幣入出金装置２７について統一的に同一のプロセスを選択してもよいし、営業店毎に判断して別々のプロセスを選択してもよいし、個々の貨幣入出金装置２７について別々のプロセスを選択してもよい。
【００３４】
なお、本実施の形態においては、説明の都合上、プロセスＡ及びプロセスＢの２つのプロセスを選択することができるものとして説明する。そして、プロセスＡが選択されると、新紙幣が発行されて、既存の旧紙幣と置き換わる場合、前記貨幣入出金装置２７は、第一段階として、新紙幣の流通量が極少ない段階では、新紙幣をリジェクト券扱いとし、旧紙幣は入金及び出金をすることができるようにする。続いて、第二段階として、新紙幣の流通量が多くなってきた場合、新紙幣は、損券と同様であるとして、損券扱いとされ、出金することができないものとする。一方、旧紙幣は入金及び出金をすることができるようにする。続いて、第三段階として、新紙幣の流通量がさらに多くなってきた場合、新紙幣は入金及び出金をすることができるようにし、旧紙幣は、損券扱いとすることによって入金することができても、出金することができないようにする。さらに、第四段階として、旧紙幣の流通量がほとんどなくなった段階では、新紙幣は入金及び出金をすることができるようにし、旧紙幣は、入金することも出金することもできないようにする。すなわち、旧紙幣の入金はリジェクト券扱いとする。
【００３５】
また、プロセスＢが選択されると、新紙幣が発行されて、既存の旧紙幣と置き換わる場合、前記貨幣入出金装置２７は、第一段階として、新紙幣の流通量が極少ない段階では、新紙幣及び旧紙幣ともに入金及び出金をすることができるようにする。続いて、第二段階として、新紙幣の流通量が多くなってきた場合、旧紙幣は、入金することができても出金することができないようにする。この場合、旧紙幣は、損券と同様であるとして、損券扱いとされ、出金することができないものとする。第二段階では、旧紙幣の流通量はまだ多いので、従来から損券を収納するように指定されたスタッカ３４、すなわち、既存の損券庫では、すぐに満杯になってしまうため、他のスタッカ３４の１つを更なる損券庫に指定し、旧紙幣を収納する必要がある。
【００３６】
続いて、第三段階として、新紙幣の流通量がさらに多くなってきた場合、第二段階と同様に、旧紙幣は、損券扱いとすることによって入金することができても、出金することができないようにする。第三段階では、旧紙幣の流通量は少なくなっているので、既存の損券庫だけに旧紙幣を収納するようにする。さらに、第四段階として旧紙幣の流通量がほとんどなくなった段階では、旧紙幣は、入金することも出金することもできないようにする。すなわち、旧紙幣の入金はリジェクト券扱いとする。
【００３７】
ここで、前記貨幣入出金装置２７の制御部における半導体メモリ等の記憶手段には、新紙幣及び旧紙幣の過去の所定期間としての過去１０日分における流通量を種別毎にカウントして記憶するためのメモリ空間である金種毎流通量カウンタが格納されるようになっている。なお、前記記憶手段の記憶容量が小さい場合には、磁気ディスク等の比較的大容量の記憶媒体を備える端末装置２０の記憶部２５に前記金種毎流通量カウンタを格納することが望ましい。
【００３８】
そして、該金種毎流通量カウンタは、図１に示されるように構成されるメモリ空間を備える。この場合、金種毎流通量カウンタは、二次元のメモリ空間としての記憶面を複数枚備えている。ここで、該記憶面のそれぞれは、各処理日に対応し、処理日１日分の紙幣の流通量を記憶する。そして、記憶される過去１０日分の流通量の１日分にそれぞれの記憶面が対応するように、前記金種毎流通量カウンタは、１０枚の記憶面、すなわち、第１〜第１０の記憶面を備えるものとする。図１において、１１は１０枚の記憶面の中のどの記憶面を使用しているのかを示す情報を格納する面記憶エリア、１２−１は第１の記憶面における新一万円券が流通する枚数を格納する区画としての新一万券カウンタ、１３−１は第１の記憶面における新五千円券が流通する枚数を格納する区画としての新五千券カウンタ、１４−１は第１の記憶面における新千円券が流通する枚数を格納する区画としての新千券カウンタ、１５−１は第１の記憶面における二千円券が流通する枚数を格納する区画としての二千券カウンタ、１６−１は第１の記憶面における既存の旧一万円券が流通する枚数を格納する区画としての既存一万券カウンタ、１７−１は第１の記憶面における既存の旧五千円券が流通する枚数を格納する区画としての既存五千券カウンタ、１８−１は第１の記憶面における既存の旧千円券が流通する枚数を格納する区画としての既存千券カウンタ、１９−１は第１の記憶面における予備として使用される区画としての予備カウンタである。
【００３９】
このように、第１の記憶面は、前記新一万券カウンタ１２−１〜予備カウンタ１９−１の８つのカウンタで構成される。また、第２の記憶面は、同様に、新一万券カウンタ１２−２〜予備カウンタ１９−２の８つのカウンタで構成され、第ｎの記憶面は、新一万券カウンタ１２−ｎ〜予備カウンタ１９−ｎの８つのカウンタで構成される。すなわち、第１〜１０の記憶面は、同じ構成を有する。なお、これ以降、第１〜１０の記憶面における新一万券カウンタ１２−１〜１２−１０を統合的に説明する場合には新一万券カウンタ１２として説明し、第１〜１０の記憶面における新五千券カウンタ１３−１〜１３−１０を統合的に説明する場合には新五千券カウンタ１３として説明し、第１〜１０の記憶面における新千券カウンタ１４−１〜１４−１０を統合的に説明する場合には新千券カウンタ１４として説明し、第１〜１０の記憶面における二千券カウンタ１５−１〜１５−１０を統合的に説明する場合には二千券カウンタ１５として説明し、第１〜１０の記憶面における既存一万券カウンタ１６−１〜１６−１０を統合的に説明する場合には既存一万券カウンタ１６として説明し、第１〜１０の記憶面における既存五千券カウンタ１７−１〜１７−１０を統合的に説明する場合には既存五千券カウンタ１７として説明し、第１〜１０の記憶面における既存千券カウンタ１８−１〜１８−１０を統合的に説明する場合には既存千券カウンタ１８として説明し、第１〜１０の記憶面における予備カウンタ１９−１〜１９−１０を統合的に説明する場合には予備カウンタ１９として説明する。
【００４０】
そして、前記貨幣入出金装置２７において、紙幣の入金又は出金があると、それぞれの金種毎に新紙幣と旧紙幣とを区別して、入金又は出金された枚数、すなわち、取引量がカウントされ、前記金種毎流通量カウンタにおいて、取引当日に該当する記憶面の新一万券カウンタ１２〜予備カウンタ１９の中の対応するカウンタに格納される枚数が取引量分だけカウントアップされる。また、日付が変わる度に、１０枚の記憶面の順番を変えることによって、それぞれの記憶面の新一万券カウンタ１２〜予備カウンタ１９を１日毎にサイクリックに使用することができる。
【００４１】
次に、前記構成の端末装置２０の動作について説明する。
【００４２】
図４は本発明の実施の形態における端末装置の立ち上げ直後の動作を示す第１のフローチャート、図５は本発明の実施の形態における端末装置の立ち上げ直後の動作を示す第２のフローチャートである。
【００４３】
まず、新紙幣が発行される前は、デフォルト状態として、第１スタッカ３４ａを千円券を取り扱うスタッカとして、また、第２スタッカ３４ｂ及び第３スタッカ３４ｃを一万円券を取り扱うスタッカとして初期設定する。なお、五千円券は入金することができても出金することができないように設定する。
【００４４】
そして、各金種の紙幣がセットされた図示されない装填（てん）カセットを同じく図示されない装填部にセットすると、前記第１スタッカ３４ａ、第２スタッカ３４ｂ及び第３スタッカ３４ｃにそれぞれ対応する紙幣が補充される。ここで、紙幣を貨幣入出金装置２７に入金する場合、オペレータは、接客部３１の図示されないホッパに紙幣をセットし、表示部２４に表示されるガイダンスに従って入力部２３を操作する。すると、貨幣入出金装置２７は、紙幣取り込みを開始し、接客部３１から取り込まれた紙幣は、紙幣認識部３３を通って図示されない入金一時集積部に集積される。このとき、前記紙幣認識部３３は、通過した紙幣の金種を１枚毎に認識する。そして、制御装置２１は、前記紙幣認識部３３から受信した情報、すなわち、入金された紙幣のそれぞれの金種を示す情報に基づいて、金種毎流通量カウンタをカウントアップさせる。この場合、該金種毎流通量カウンタにおいて、紙幣が入金された当日に該当する記憶面の新一万券カウンタ１２〜予備カウンタ１９の中の金種に対応するカウンタに格納される流通する紙幣の枚数が、入金された紙幣の枚数だけカウントアップされる。そして、オペレータが入力部２３を操作すると、入金一時集積部に集積された紙幣は、対応するスタッカ３４にそれぞれ収納される。このとき、流通量の少ない二千円券及び五千円券は、対応するスタッカ３４が設定されていないので、リジェクト部３９に搬送されて収納される。
【００４５】
また、紙幣を貨幣入出金装置２７から出金する場合、オペレータは、入力部２３を操作して、出金する金額を指定する。このとき、オペレータは、金種毎に出金される紙幣の枚数を指定することもできる。すると、オペレータの指定した金額に対応する枚数の紙幣が対応する金種を収納するスタッカ３４から取り出される。すると、制御装置２１は、紙幣認識部３３から受信した情報に基づいて金種毎流通量カウンタをカウントアップさせる。この場合、該金種毎流通量カウンタにおいて、紙幣が出金された当日に該当する記憶面の新一万券カウンタ１２〜予備カウンタ１９の中の金種に対応するカウンタに格納される流通する紙幣の枚数が、出金された紙幣の枚数だけカウントアップされる。そして、スタッカ３４から取り出された紙幣が接客部３１に到達すると、表示部２４に紙幣を取り出す旨の指示が表示されるので、オペレータは表示された指示に従って、接客部３１から紙幣を取り出す。
【００４６】
そして、１日の取引が終了すると、記憶部２５に格納された前記金種毎流通量カウンタにおける当日に該当する記憶面の新一万券カウンタ１２〜予備カウンタ１９に格納された数値が保存される。さらに、次の日の取引においては、前記金種毎流通量カウンタにおける次の日に該当する記憶面の新一万券カウンタ１２〜予備カウンタ１９が使用され、前記次の日の取引が終了すると、次の日に該当する記憶面の新一万券カウンタ１２〜予備カウンタ１９に格納された数値が保存される。このようにして、連日の取引による１日分の各金種の紙幣の流通枚数、すなわち、流通量が、それぞれの日に対応する記憶面の新一万券カウンタ１２〜予備カウンタ１９に格納されて保存される。なお、本実施の形態においては、記憶面が１０枚であるので、過去１０日分の紙幣の流通量が金種毎流通量カウンタに保存されるようになっている。
【００４７】
ここで、新紙幣が発行されて、既存の旧紙幣と置き換わる場合、貨幣入出金装置２７の動作を制御するためのソフトウェアが前記プロセスに対応するソフトウェアに入れ替えられる。この際に、金融機関の担当者は、プロセスＡ又はプロセスＢを選択して設定する。また、前記ソフトウェアが端末装置２０の制御装置２１又は貨幣入出金装置２７の制御部の半導体メモリに格納された後に、前記貨幣入出金装置２７の図示されないスイッチを操作して、プロセスＡ又はプロセスＢを選択して設定することもできる。
【００４８】
本実施の形態において、制御装置２１は、半導体メモリ上に常駐するソフトウェアを実行し、端末装置２０が起動されると、すなわち、立ち上げられると、設定されたプロセスがプロセスＡであるか、プロセスＢであるかを判断する。そして、プロセスＡである場合、前記制御装置２１は、記録された取引の結果と収納されている紙幣の数とが正しく対応しているか否かの精査が行われた直後に端末装置２０が立ち上げられたか否かを判断する。そして、精査の直後に立ち上げられた場合、前記ソフトウェアは、記憶部２５に保存されている金種毎流通量カウンタの過去１０日分における紙幣の流通量を参照し、スタッカ３４のそれぞれに対して、収納する金種の割り当てを行う。この場合、前記ソフトウェアは、金種毎流通量カウンタの過去１０日分における紙幣の流通量を解析し、新紙幣の流通量がほとんどゼロであるか否かを判断する。
【００４９】
ところで、新紙幣が発行されていない段階では、金種毎流通量カウンタの新紙幣部としての新一万券カウンタ１２、新五千券カウンタ１３及び新千券カウンタ１４に格納された紙幣の流通量がほとんどゼロであるので、スタッカ３４のそれぞれに対する金種の割り当ては初期設定のままとなる。なお、新紙幣が発行されて間もない時期においては、新紙幣の流通量が極少ないので、前記ソフトウェアは、第一段階であると判断し、新紙幣をリジェクト券扱いとし、旧紙幣は入金及び出金をすることができるようにする。
【００５０】
そして、新紙幣の流通量がほとんどゼロと言えないほどに増加すると、精査の直後に立ち上げられた場合、前記ソフトウェアは、記憶部２５に保存されている金種毎流通量カウンタの過去１０日分における紙幣の流通量を参照し、新紙幣の流通量が既存の旧紙幣の流通量の半分程度であると判断する。すると、前記ソフトウェアは、第二段階になったと判断し、新紙幣を損券扱いとするように変更する。すなわち、新紙幣は、入金することができても、出金することができないものとする。一方、旧紙幣は入金及び出金をすることができるようにする。その後、紙幣が入金及び出金される毎に、各金種に対応する新一万券カウンタ１２〜予備カウンタ１９に格納された数値を更新し、精査後の立ち上げ時に、新一万券カウンタ１２〜予備カウンタ１９をチェックしていく。
【００５１】
続いて、新紙幣が行き渡って流通量がさらに多くなり、旧紙幣の流通量が減少すると、精査の直後に立ち上げられた場合、前記ソフトウェアは、記憶部２５に保存されている金種毎流通量カウンタの過去１０日分における紙幣の流通量を参照し、旧紙幣の流通量が新紙幣の流通量の半分程度であると判断する。すると、前記ソフトウェアは、第三段階になったと判断し、旧紙幣を損券扱いとすることによって、旧紙幣は入金することができても、出金することができないようにする。一方、新紙幣は入金及び出金をすることができるようにする。その後、紙幣が入金及び出金される毎に、各金種に対応する新一万券カウンタ１２〜予備カウンタ１９に格納された数値を更新し、精査後の立ち上げ時に、新一万券カウンタ１２〜予備カウンタ１９をチェックしていく。
【００５２】
そして、新紙幣の流通が行き渡り、旧紙幣の流通がほとんどなくなってきた場合、すなわち、精査後の立ち上げ時に金種毎流通量カウンタの過去１０日分における紙幣の流通量を解析し、過去１０日分の旧紙幣の流通量がゼロであると判断した場合、前記ソフトウェアは、旧紙幣を入金することも出金することもできないようにする、すなわち、旧紙幣の入金をリジェクト券扱いとするように自動的に変更し、端末装置２０を立ち上げる。この場合、オペレータが旧紙幣を入金しようとして接客部３１のホッパに旧紙幣をセットしても返却される。一方、新紙幣は入金及び出金をすることができる。
【００５３】
また、設定されたプロセスがプロセスＢである場合、前記制御装置２１は、精査が行われた直後に端末装置２０が立ち上げられたか否かを判断する。そして、精査の直後に立ち上げられた場合、前記ソフトウェアは、記憶部２５に保存されている金種毎流通量カウンタの過去１０日分における紙幣の流通量を参照し、スタッカ３４のそれぞれに対して、収納する金種の割り当てを行う。この場合、前記ソフトウェアは、金種毎流通量カウンタの過去１０日分における紙幣の流通量を解析し、新紙幣の流通量が既存の旧紙幣の流通量と同等であるか否かを判断する。
【００５４】
ところで、新紙幣が発行されていない段階では、金種毎流通量カウンタの新紙幣部としての新一万券カウンタ１２、新五千券カウンタ１３及び新千券カウンタ１４に格納された紙幣の流通量がゼロであるので、スタッカ３４のそれぞれに対する金種の割り当ては初期設定のままとなる。なお、新紙幣が発行されて間もない時期においては、新紙幣の流通量が極少ないので、前記ソフトウェアは、第一段階であると判断し、新紙幣及び旧紙幣ともに入金及び出金をすることができるようにする。ただし、新紙幣の五千円券は、旧紙幣の五千券及び二千券と同様に、入金することができても出金することができないように設定される。
【００５５】
そして、新紙幣の流通量が既存の旧紙幣の流通量と同等である場合、前記ソフトウェアは、第二段階になったと判断し、旧紙幣を入金することができても出金することができないようにする。なお、第二段階では旧紙幣の流通量が多いため、第３スタッカ３４ｃもリジェクト部３９と同様に機能するように設定される。すなわち、前記ソフトウェアは、入金された旧紙幣はリジェクト部３９だけでなく、第３スタッカ３４ｃにも搬送されて収納されるように自動的に変更し、端末装置２０を立ち上げる。その後、紙幣が入金及び出金される毎に、各金種に対応する新一万券カウンタ１２〜予備カウンタ１９に格納された数値を更新し、精査後の立ち上げ時に、新一万券カウンタ１２〜予備カウンタ１９をチェックしていく。
【００５６】
また、新紙幣の流通量が既存の旧紙幣の流通量と同等でない場合、前記ソフトウェアは、旧紙幣の流通量がリジェクト部３９の収納可能量（ニヤフル枚数）より少ないか否かを判断する。ここで、新紙幣の流通が行き渡り、旧紙幣の流通が少なくなると、該旧紙幣の流通量がリジェクト部３９の収納可能量より少なくなる。そこで、旧紙幣の流通量がリジェクト部３９の収納可能量より少ない場合、前記ソフトウェアは、リジェクト部３９と同様に機能するように設定された第３スタッカ３４ｃを、新一万円券を収納するように自動的に変更し、端末装置２０を立ち上げる。その後、紙幣が入金及び出金される毎に、各金種に対応する新一万券カウンタ１２〜予備カウンタ１９に格納された数値を更新し、精査後の立ち上げ時に、新一万券カウンタ１２〜予備カウンタ１９をチェックしていく。
【００５７】
そして、新紙幣の流通が行き渡り、旧紙幣の流通がほとんどなくなってきた場合、すなわち、精査後の立ち上げ時に金種毎流通量カウンタの過去１０日分における紙幣の流通量を解析し、過去１０日分の旧紙幣の流通量がゼロであると判断した場合、前記ソフトウェアは、旧紙幣を入金することも出金することもできないようにする、すなわち、旧紙幣の入金をリジェクト券扱いとするように自動的に変更し、端末装置２０を立ち上げる。この場合、オペレータが旧紙幣を入金しようとして接客部３１のホッパに旧紙幣をセットしても返却される。
【００５８】
次に、フローチャートについて説明する。
ステップＳ１  設定されたプロセスがプロセスＡであるか、プロセスＢであるかを判断する。プロセスＡである場合はステップＳ２に進み、プロセスＢである場合はステップＳ１３に進む。
ステップＳ２  精査直後であるか否かを判断する。精査直後である場合はステップＳ３に進み、精査直後でない場合はステップＳ１２に進む。
ステップＳ３  金種毎流通量カウンタの過去１０日分における紙幣の流通量を解析する。
ステップＳ４  新紙幣の流通量がほとんどゼロであるか否かを判断する。新紙幣の流通量がほとんどゼロである場合はステップＳ５に進み、新紙幣の流通量がほとんどゼロでない場合はステップＳ６に進む。
ステップＳ５  新紙幣をリジェクト券扱いとする。
ステップＳ６  新紙幣の流通量が既存の旧紙幣の流通量の半分程度であるか否かを判断する。新紙幣の流通量が既存の旧紙幣の流通量の半分程度である場合はステップＳ７に進み、新紙幣の流通量が既存の旧紙幣の流通量の半分程度でない場合はステップＳ８に進む。
ステップＳ７  新紙幣を損券扱いとする。
ステップＳ８  旧紙幣の流通量が新紙幣の流通量の半分程度であるか否かを判断する。旧紙幣の流通量が新紙幣の流通量の半分程度である場合はステップＳ９に進み、旧紙幣の流通量が新紙幣の流通量の半分程度でない場合はステップＳ１０に進む。
ステップＳ９  旧紙幣を損券扱いとする。
ステップＳ１０  旧紙幣の流通量がゼロであるか否かを判断する。旧紙幣の流通量がゼロである場合はステップＳ１１に進み、旧紙幣の流通量がゼロでない場合はステップＳ１２に進む。
ステップＳ１１  旧紙幣をリジェクト券扱いとする。
ステップＳ１２  初期化処理を実行する。
ステップＳ１３  精査直後であるか否かを判断する。精査直後である場合はステップＳ１４に進み、精査直後でない場合はステップＳ２１に進む。
ステップＳ１４  金種毎流通量カウンタの過去１０日分における紙幣の流通量を解析する。
ステップＳ１５  新紙幣の流通量と既存の旧紙幣の流通量とが同等であるか否かを判断する。新紙幣の流通量と既存の旧紙幣の流通量とが同等である場合はステップＳ１６に進み、新紙幣の流通量と既存の旧紙幣の流通量とが同等でない場合はステップＳ１７に進む。
ステップＳ１６  第３スタッカ３４ｃもリジェクト部３９に割り当てる。
ステップＳ１７  既存の旧紙幣の流通量がリジェクト部３９の収納可能量より少ないか否かを判断する。既存の旧紙幣の流通量がリジェクト部３９の収納可能量より少ない場合はステップＳ１８に進み、既存の旧紙幣の流通量がリジェクト部３９の収納可能量より少なくない場合はステップＳ１９に進む。
ステップＳ１８  第３スタッカ３４ｃを新一万券に割り当てる。
ステップＳ１９  既存の旧紙幣の流通量がゼロであるか否かを判断する。既存の旧紙幣の流通量がゼロである場合はステップＳ２０に進み、既存の旧紙幣の流通量がゼロでない場合はステップＳ２１に進む。
ステップＳ２０  既存の旧紙幣の入金を不可とする。
ステップＳ２１  初期化処理を実行する。
【００５９】
このように、本実施の形態においては、端末装置２０において、貨幣入出金装置２７内部の紙幣がすべて空になる精査後の立ち上げ時に、制御装置２１が実行するソフトウェアが新紙幣及び旧紙幣の流通量の履歴を解析し、その流通量に応じてそれぞれの紙幣を収納するスタッカ３４を自動的に設定するようになっている。そのため、オペレータが新紙幣及び旧紙幣の流通量を判断したり、金種に対応するスタッカ３４を設定したりする必要がなくなるので、オペレータの負担を軽減することができる。
【００６０】
また、本実施の形態においては、新紙幣が発行されて旧紙幣と置き換わる場合だけでなく、紙幣の各金種の流通量が変動する場合にも、各金種の流通量に応じて最適なスタッカ３４を設定するために適用することもできる。
【００６１】
さらに、前記ソフトウェアは、複数のプロセスに対応したものが用意され、所望のソフトウェアを選択することによって、所望のプロセスを選択して設定することができる。そのため、金融機関における端末装置２０の利用形態を考慮して、最適な動作を行わせることができる。
【００６２】
なお、本発明は前記実施の形態に限定されるものではなく、本発明の趣旨に基づいて種々変形させることが可能であり、それらを本発明の範囲から排除するものではない。
【図面の簡単な説明】
【００６３】
【図１】本発明の実施の形態における金種毎流通カウンタの構成を示す図である。
【図２】本発明の実施の形態における端末装置の構成を示すブロック図である。
【図３】本発明の実施の形態における紙幣入出金装置の構成を示す図である。
【図４】本発明の実施の形態における端末装置の立ち上げ直後の動作を示す第１のフローチャートである。
【図５】本発明の実施の形態における端末装置の立ち上げ直後の動作を示す第２のフローチャートである。
【符号の説明】
【００６４】
１２、１２−１、１２−２    新一万券カウンタ
１３、１３−１、１３−２    新五千券カウンタ
１４、１４−１、１４−２    新千券カウンタ
１５、１５−１、１５−２    二千券カウンタ
１６、１６−１、１６−２    既存一万券カウンタ
１７、１７−１、１７−２    既存五千券カウンタ
１８、１８−１、１８−２    既存千券カウンタ
１９、１９−１、１９−２    予備カウンタ
２０    端末装置
２１    制御装置
２７    貨幣入出金装置
３１    接客部
３３    紙幣認識部
３４    スタッカ
３４ａ    第１スタッカ
３４ｂ    第２スタッカ
３４ｃ    第３スタッカ
【図１】
2005196723.tif 000003
【図２】
2005196723.tif 000004
【図３】
2005196723.tif 000005
【図４】
2005196723.tif 000006
【図５】
2005196723.tif 000007